(57)【要約】  【解決手段】  ヘッド本体はその正面には溝座が設けられ、溝座の周辺には第一係合突出部が環設される。フェース板はその周辺からヘッド本体に向かって延伸して折り曲げるように環状壁が形成され、環状壁の末端には第二係合突出部が環設される。第一係合突出部と第一係合突出部は互いに係合して噛合することにより、ヘッド本体とフェース板を予め組み立てて位置決めされ、また第一係合突出部と第二係合突出部との間には他に結合層が形成される。  【効果】  フェース板とヘッド本体には対応するように互いに係合して噛合するための二個の係合突出部が設けられることにより、予め精確に組み立てて位置決めすることができ、さらに二個の係合突出部の間にはさらに硬ろう付け層または粘着層が形成されるため、組立の精確度を確実に増やし、結合の強度を強化し、結合の信頼性を確保し、さらにヘッドの使用寿命を延ばすことができる。【選択図】    図３Ａ
2006158640.tif 000002
【特許請求の範囲】
【請求項１】
ヘッド本体（１）およびフェース板（２）により構成されるゴルフクラブヘッドのフェース板の結合構造であって、ヘッド本体（１）はその正面には溝座（１２）が設けられ、溝座（１２）の周辺には第一係合突出部（１４）が環設され、フェース板（２）はその周辺からヘッド本体（１）に向かって延伸して折り曲げるように環状壁（２１）が形成され、環状壁（２１）の末端には第二係合突出部（２３）が環設され、第一係合突出部（２１）と第一係合突出部（２２）は互いに係合して噛合することにより、ヘッド本体（１）とフェース板（２）を予め組み立てて位置決めすることができることを特徴とするゴルフクラブヘッドのフェース板の結合構造。
【請求項２】
ヘッド本体（１）の第一係合突出部（１４）とフェース板（２）の第二係合突出部（２３）との間には他に結合層（３）が形成されることを特徴とする請求項１記載のゴルフクラブヘッドのフェース板の結合構造。
【請求項３】
結合層（３）は硬ろう付け、粘着のどちらかの方式により形成されることを特徴とする請求項２記載のゴルフクラブヘッドのフェース板の結合構造。
【請求項４】
ヘッド本体（１）の第一係合突出部（１４）とフェース板（２）の第二係合突出部（２３）は対応するように傾斜に形成されることにより、係合して噛合するのに役立つことができることを特徴とする請求項１記載のゴルフクラブヘッドのフェース板の結合構造。
【請求項５】
フェース板（２）の第二係合突出部（２３）は円弧状の内フランジに形成され、ヘッド本体（１）の第一係合突出部（１４）は対応するように凹欠状に形成されることを特徴とする請求項１記載のゴルフクラブヘッドのフェース板の結合構造。
【請求項６】
ヘッド本体（１）には他に第一肩部（１５）が設けられ、第一肩部（１５）は溝座（１２）の周辺に設けられることを特徴とする請求項１記載のゴルフクラブヘッドのフェース板の結合構造。
【請求項７】
ヘッド本体（１）の第一係合突出部（１４）は第一肩部（１５）の外側に環設されることを特徴とする請求項６記載のゴルフクラブヘッドのフェース板の結合構造。
【請求項８】
ヘッド本体（１）の第一係合突出部（１４）は第一肩部（１５）の内側に環設されることを特徴とする請求項６記載のゴルフクラブヘッドのフェース板の結合構造。
【請求項９】
フェース板（２）には他に第二肩部（２４）が設けられ、第二肩部（２４）は環状壁（２１）の末端に設けられることを特徴とする請求項１記載のゴルフクラブヘッドのフェース板の結合構造。
【請求項１０】
フェース板（２）の第二係合突出部（２３）は第二肩部（２４）の内側に環設されることを特徴とする請求項９記載のゴルフクラブヘッドのフェース板の結合構造。
【請求項１１】
フェース板（２）の第二係合突出部（２３）は第二肩部（２４）の外側に環設されることを特徴とする請求項９記載のゴルフクラブヘッドのフェース板の結合構造。
【請求項１２】
フェース板（２）の第二係合突出部（２３）には他に傾斜面（２３１）が形成されることにより、ヘッド本体（１）の第一係合突出部（１４）と係合して結合するのに役立つことができることを特徴とする請求項１記載のゴルフクラブヘッドのフェース板の結合構造。
【請求項１３】
ヘッド本体（１）の第一係合突出部（１４）には他に傾斜面（１４１）が形成されることにより、フェース板（２）の第二係合突出部（２３）と係合して結合するのに役立つことができることを特徴とする請求項１記載のゴルフクラブヘッドのフェース板の結合構造。
【請求項１４】
ヘッド本体（１）には他にホーゼル（１１）と周壁部（１３）が設けられ、ホーゼル（１１）はヘッド本体（１）の片側に結合され、周壁部（１３）は溝座（１２）においてホーゼル（１１）に近い同じ片側に形成され、フェース板（２）には周壁部（１３）に対応するように凹欠部（２２）が設けられることを特徴とする請求項１記載のゴルフクラブヘッドのフェース板の結合構造。
【発明の詳細な説明】
【技術分野】
【０００１】
本発明は、ゴルフクラブヘッドのフェース板の結合構造に関するもので、特にフェース板とヘッド本体の間に同時に係合と硬ろう付け（または粘着）の方式を利用して結合することにより、結合強度を増やすことができるゴルフクラブヘッド構造に係るものである。
【背景技術】
【０００２】
従来のゴルフクラブヘッドのフェース板の結合構造としては、ヘッド枠体およびフェース板が含まれ、上記ヘッド枠体およびフェース板は金属により製成される。上記ヘッド枠体は上記フェース板を結合した位置において開口部が設けられ、上記開口部の内部には肩面が形成され、上記肩面は熔接材料を載置するのに用いることができ、上記フェース板は上記肩面の上に嵌入し圧合されることができ、さらに上記肩面の内周縁の突出部は少し圧力を受けて変形することにより、熔接材料は上記フェース板、肩面と突出部が囲んで形成した隙間の内部を充填するように形成され、熔接材料は金属粉末により製成され、その融点は上記ヘッド枠体およびフェース板より低くなるように形成され、それから再び噛合し終えた上記ヘッド枠体およびフェース板を真空炉または惰性気体により保護される高温炉の内部に置き入れて加熱を行い、その加熱温度は熔接材料の融点より高くならなければならず、さらにヘッド枠体およびフェース板の融点より低くならなければならず、熔接材料を溶融させ、さらに毛細作用によりヘッド枠体およびフェース板の間の微小な隙間を充填させ、冷却した後、緊密に結合して外観から熔接の痕跡が見られないヘッドの完成品を獲得することができるようにとしたものがある（例えば、特許文献１を参照）。
【０００３】
また、従来のゴルフクラブヘッドのフェース板の結合構造としては、枠体およびフェース板が含まれる。上記枠体は正面に部位において開口部が形成される。上記フェース板の形状は対応するように、かつ上記枠体の開口部より少し大きくなるように形成され、さらに上記開口部を蓋することができるように形成される。上記枠体の開口部の外周縁とフェース板の背面の周縁には対応するようにそれぞれ環状リブと環状凹欠溝が設けられることにより、互いに噛合することができる。上記枠体およびフェース板の噛合の連接面には熔接層が形成され、上記熔接層は硬ろう付けの熔接材料が溶融し滲み込んでから冷却し凝固してなるもので、上記熔接層により枠体およびフェース板を緊密に結合することができるようにとしたものがある（例えば、特許文献２を参照）。
【０００４】
さらに、従来のゴルフクラブヘッドのフェース板の結合構造としては、特許文献２と同様に枠体およびフェース板が含まれるが、上記フェース板にはさらに一体成型になるように環状周壁が伸出し形成されることにより、上記フェース板にはＵ字形の断面が形成されるため、フェース板の弾性の変形能力を増やすことができる。上記枠体およびフェース板は同様に環状リブおよび環状凹欠溝を利用して硬ろう付けの方式により互いに嵌合することができるようにとしたものがある（例えば、特許文献３を参照）。
【特許文献１】中華民国公告番号第３２７６０６号公報
【特許文献２】中華民国公告番号第４２１０５７号公報
【特許文献３】中華民国公告番号第５９００２８号公報
【発明の開示】
【発明が解決しようとする課題】
【０００５】
上記のような特許文献１で述べたゴルフクラブヘッドのフェース板の結合構造においては、上述した硬ろう付けによる結合構造において上記フェース板とヘッド枠体との間は単に硬ろう付けの溶剤の粘着力だけによって粘着するものであって、両者を緊密に結合するのにやや不足であり、しかも充填空間内の熔接材料の一部分は必ず毛細作用によって滲み出るため、局部的な空洞が生じてしまう。そのため、上記のような従来の技術では他にヘッド枠体の突出部を利用して上記フェース板を鋲接しないと、フェース板が打球時において脱落してしまうのを避けることができず、このように製造工程が増えるばかりか、製造コストが高くなるという問題点があった。
【０００６】
上記のような特許文献２、３で述べたゴルフクラブヘッドのフェース板の結合構造においては、上記環状リブと環状凹欠溝との間には比較的大きい接触面積の充填空間を形成することにより、比較的大きい硬ろう付けの結合面積を形成することができるが、上記環状リブと環状凹欠部は単に熔接層を利用して限られた結合関係しか維持することができないため、打球の応力を長期に受けるフェース板にとって上記熔接層によって生じる結合力は明らかに限られている。例えば、５０ｍ／秒速の打撃試験の条件において１００回打撃した後、上記フェース板は上記枠体から脱落してしまうという問題点があった。このように、上記のような従来のゴルフクラブヘッドのフェース板の結合構造をさらに改良しなければならない。
【０００７】
本発明はこのような問題点に鑑みて発明したものであって、その目的とするところは、フェース板とヘッド本体には対応するように互いに係合して噛合するための二個の係合突出部が設けられることにより、予め精確に組み立てて位置決めすることができ、さらに二個の係合突出部の間にはさらに硬ろう付け層または粘着層が形成されるため、組立の精確度を確実に増やし、結合の強度を強化し、結合の信頼性を確保し、さらにヘッドの使用寿命を延ばすことができるゴルフクラブヘッドのフェース板の結合構造を提供しようとするものである。
【０００８】
本発明の第一の目的は、フェース板とヘッド本体との間には係合による結合関係が形成されることにより、組立の精確度を増やし、結合の強度を強化し、結合の信頼性を確保し、さらにヘッドの使用寿命を延ばすことができるゴルフクラブヘッドのフェース板の結合構造を提供しようとするものである。
【０００９】
本発明の第二の目的は、フェース板とヘッド本体との間には係合と硬ろう付け（または粘着）による結合関係が同時に形成されることにより、組立の精確度を増やし、結合の強度を強化し、結合の信頼性を確保し、さらにヘッドの使用寿命を延ばすことができるゴルフクラブヘッドのフェース板の結合構造を提供しようとするものである。
【００１０】
上記目的を達成するために、本発明によるゴルフクラブヘッドのフェース板の結合構造は、下記のようになるものである。すなわち、
ヘッド本体およびフェース板により構成される。ヘッド本体はその正面には溝座が設けられ、溝座の周辺には第一係合突出部が環設される。フェース板はその周辺からヘッド本体に向かって延伸して折り曲げるように環状壁が形成され、環状壁の末端には第二係合突出部が環設される。第一係合突出部と第一係合突出部は互いに係合して噛合することにより、ヘッド本体とフェース板を予め組み立てて位置決めすることができる。
【００１１】
本発明によるゴルフクラブヘッドのフェース板の結合構造は、ヘッド本体の第一係合突出部とフェース板の第二係合突出部との間には他に結合層が形成されることもできる。また、結合層は硬ろう付け、粘着のどちらかの方式により形成されることもできる。また、ヘッド本体の第一係合突出部とフェース板の第二係合突出部は対応するように傾斜に形成されることにより、係合して噛合するのに役立つこともできる。また、フェース板の第二係合突出部は円弧状の内フランジに形成され、ヘッド本体の第一係合突出部は対応するように凹欠状に形成されることもできる。また、ヘッド本体には他に第一肩部が設けられ、第一肩部は溝座の周辺に設けられることもできる。また、ヘッド本体の第一係合突出部は第一肩部の外側に環設されることもできる。また、ヘッド本体の第一係合突出部は第一肩部の内側に環設されることもできる。また、フェース板には他に第二肩部が設けられ、第二肩部は環状壁の末端に設けられることもできる。また、フェース板の第二係合突出部は第二肩部の内側に環設されることもできる。また、フェース板の第二係合突出部は第二肩部の外側に環設されることもできる。また、フェース板の第二係合突出部には他に傾斜面が形成されることにより、ヘッド本体の第一係合突出部と係合して結合するのに役立つこともできる。また、ヘッド本体の第一係合突出部には他に傾斜面が形成されることにより、フェース板の第二係合突出部と係合して結合するのに役立つこともできる。また、ヘッド本体には他にホーゼルと周壁部が設けられ、ホーゼルはヘッド本体の片側に結合され、周壁部は溝座においてホーゼルに近い同じ片側に形成され、フェース板には周壁部に対応するように凹欠部が設けられることもできる。
【発明の効果】
【００１２】
本発明のゴルフクラブヘッドのフェース板の結合構造によれば、フェース板とヘッド本体との間には係合による結合関係が形成されることにより、組立の精確度を増やし、結合の強度を強化し、結合の信頼性を確保し、さらにヘッドの使用寿命を延ばすことができるという利点がある。
【００１３】
本発明のゴルフクラブヘッドのフェース板の結合構造によれば、フェース板とヘッド本体との間には係合と硬ろう付け（または粘着）による結合関係が同時に形成されることにより、組立の精確度を増やし、結合の強度を強化し、結合の信頼性を確保し、さらにヘッドの使用寿命を延ばすことができるという利点がある。
【発明を実施するための最良の形態】
【００１４】
本発明の実施の形態について、以下、図面を参照して説明する。
【実施例１】
【００１５】
図１、２を参照すると、本発明の実施例１のゴルフクラブヘッドのフェース板の結合構造にはヘッド本体１およびフェース板２が含まれる。ヘッド本体１はアイアン型、ウッド型またはパター型などの従来のヘッドの基本構造から選択することができるが、本発明においては全てアイアン型ヘッドを例に挙げるため、各種のヘッドの基本構造については再び詳しく説明しない。
【００１６】
再び図１、２を参照すると、本発明の実施例１のヘッド本体１にはホーゼル１１、溝座１２、周壁部１３、第一係合突出部１４と第一肩部１５が設けられる。ホーゼル１１は一体成型または熔接のどちらかによりヘッド本体１の片側に結合される。溝座１２はヘッド本体１の正面に形成され、溝座１２はフェース板２が後方への弾性変形の空間を提供するのに用いられる。周壁部１３は溝座１２においてホーゼル１１に近い同じ片側に形成される。第一係合突出部１４と第一肩部１５は溝座１２の周辺に環設される。第一係合突出部１４は突出して第一肩部１５の表面より高くなるように形成され、そして好ましくは第一肩部１５の外側に環設される。第一係合突出部１４と第一肩部１５の側面には第一アンダーカット（undercut）が形成されるため、係合の作業に役立つことができる。また、製造工程の需要性に応じて、第一係合突出部１４と第一肩部１５に硬ろう付け材料または粘着剤（図示せず）を予め塗布することができる。
【００１７】
図１、２、２Ａを参照すると、本発明の実施例１のフェース板２には第二係合突出部２３と第二肩部２４が設けられ、そして好ましくは環状壁２１と凹欠部２２が設けられる。環?壁２１はフェース板２の周辺からヘッド本体１に向かって折り曲げるように延伸して形成される。凹欠部２２はフェース板２においてホーゼル１１に近い片側に形成される。環状壁２１と凹欠部２２の設置によってフェース板２はＵ字形またはＬ字形の断面を有するように形成されるため、弾性の変形能力を増やすことができる。第二係合突出部２３と第二肩部２４は環状壁２１の末端に設けられる。第二係合突出部２３は突出して第二肩部２４の表面より高くなるように形成され、そして好ましくは第二肩部２４の内側に環設される。第二係合突出部２３と第二肩部２４の側面には第二アンダーカット（undercut）が形成されるため、係合の作業に役立つことができる。また、製造工程の需要性に応じて、第二係合突出部２３と第二肩部２４に硬ろう付け材料（図示せず）を予め塗布することができる。さらに、図２Ａに示すように、第二係合突出部２３も端部において例えば傾斜面２３１を形成することにより、係合による組立の便利性を増やすことができる。
【００１８】
図３、３Ａを参照すると、組み立てる前に第一係合突出部１４と第一肩部１５（または第二係合突出部２３と第二肩部２４）において硬ろう付け材料（または粘着剤）を予め塗布しておく。また、凹欠部２２と周壁部１３の間においても硬ろう付け材料（または粘着剤）を予め塗布しておく。組立時において、フェース板２の凹欠部２２、第二係合突出部２３と第二肩部２４をそれぞれヘッド本体１の周壁部１３、第一係合突出部１４と第一肩部１５に位置合わせする。それから、フェース板２の第二係合突出部２３を傾斜面２３１に沿ってヘッド本体１の第一係合突出部１４に滑り込ませることにより、第一アンダーカットと第二アンダーカットを互いに噛合させる。係合を完成した後、第一係合突出部１４と第二係合突出部２３との係合による噛合関係は予定された組み立てる前における精確な位置決めを維持することができる。それから、加熱の硬ろう付けの製造工程を行うことにより、硬ろう付けの材料に熱を受けて溶融させ、さらに冷却した後に結合層３が適当に形成されるため、結合層３によりヘッド本体１とフェース板２を硬ろう付けし結合することができる。または、粘着剤の固化により結合層３を直接形成する。さらに、上記粘着剤はエポキシ樹脂、ＵＶ粘着剤、瞬間粘着剤または嫌気性（Anaerobic Adhesive）からなることができる。
【００１９】
また、本発明においても下記のその他硬ろう付け材料と使用方法を選択することができる。例えば、ヘッド本体１とフェース板２が互いに係合した後、本発明においてはクリーム状の硬ろう付け材料の使用を選択することができ、適量なクリーム状の硬ろう付け材料を両者の結合する表面に塗布し、適当に加熱を経て、上記硬ろう付け材料は毛細現象により自然にヘッド本体１とフェース板２の間の隙間に浸み込むことができる。他に、本発明においても中華民国公告番号第５８９２１０号における硬ろう付けの方法を選択することができ、すなわち本発明のヘッド本体１またはフェース板２において少なくとも一個の翼部を有する承載構造（図示せず）を増設し、ヘッド本体１とフェース板２が互いに係合した後、固体の硬ろう付け材料を予め上記翼部に承載させ、そして適当に加熱を経た後、上記硬ろう付け材料は毛細現象により自然にヘッド本体１とフェース板２の間の隙間に浸み込むことができ、最後に再び上記翼部を除去する。
【００２０】
硬ろう付け（または粘着）を行った後、ヘッド本体１とフェース板２の間には同時に係合と硬ろう付け（または粘着）による結合構造が形成されるため、結合強度を相対的に強化することができると共に、結合の信頼性を確保することができ、さらに結合の位置に亀裂が生じるのを有効に避けることができるため、ヘッドの使用寿命を相対的に延ばすことができる。
【実施例２】
【００２１】
図４、５、５Ａ、６、６Ａを参照すると、本発明の実施例２のゴルフクラブヘッドのフェース板の結合構造が掲示される。実施例１と比較すると、実施例２においてヘッド本体１は第一係合突出部１４を第一肩部１５の内側に環設し、そしてフェース板２は対応するように第二係合突出部２３を第二肩部２４の外側に環設する。第一係合突出部１４は第一肩部１５に近い側面において傾斜に形成され、そして第二係合突出部２３は第二肩部２４に近い側面において傾斜に形成される。また、図５Ａに示すように、第一係合突出部１４は端部において傾斜面１４１が形成するのを選択することができ、傾斜面１４１により係合による組立の便利性を増やすことができる。組立と硬ろう付け（または粘着）を行った後、第二係合突出部２３、第二肩部２４、第一係合突出部１４と第一肩部１５の間にも同様に結合層３が形成される。これにより、ヘッド本体１とフェース板２の間には同時に係合と硬ろう付け（または粘着）による結合構造が形成されるため、結合強度を相対的に強化し、さらに結合の信頼性を高めることができる。
【実施例３】
【００２２】
図７、８、８Ａを参照すると、本発明の実施例３のゴルフクラブヘッドのフェース板の結合構造が掲示される。実施例１と比較すると、実施例３においてフェース板２には第二肩部２４の設置が省かれ、さらに環状壁２１の末端に近い位置において円弧状の内フランジが直接形成されることにより、第二係合突出部２３として形成される。ヘッド本体１の溝座１２には第一係合突出部１４と第一肩部１５が設けられ、第一係合突出部１４は第一肩部１５の内側に環設され、さらに第一係合突出部１４が第一肩部１５に近い側面の基部には第一アンダーカット（undercut）が形成される。予め組み立てる時、第二係合突出部２３（円弧状の内フランジ）を直接スムースに第一係合突出部１４の第一アンダーカットに係合して噛合する。そして、組立と硬ろう付け（または粘着）を行った後、第二係合突出部２３、第一係合突出部１４と第一肩部１５の間にも同様に結合層３が形成される。これにより、ヘッド本体１とフェース板２の間には同時に係合と硬ろう付け（または粘着）による結合構造が形成されるため、結合強度を相対的に強化し、さらに結合の信頼性を高めることができる。
【産業上の利用可能性】
【００２３】
上述の如く、従来のゴルフクラブヘッドのフェース板の結合構造によれば、充填空間内の熔接材料が毛細作用により部分的に滲み出るため、硬ろう付け後において局部的な空間が生じてしまい、または単に硬ろう付け層を利用して限られた結合関係しか維持できないなどの問題点があったが、図２に示す本発明のゴルフクラブヘッドのフェース板の結合構造によれば、ヘッド本体１とフェース板２には対応するように係合突出部１４、２３が設けられることにより、相互の係合と噛合による予めの組立と位置決めを行うことができ、さらに二個の係合突出部１４、２３の間には硬ろう付け材料または粘着剤により結合層が形成されるため、組立の精確度を確実に増やし、結合の強度を強化し、結合の信頼性を確保し、さらにヘッドの使用寿命を延ばすことができる。
【００２４】
本発明は、その精神及び必須の特徴事項から逸脱することなく他のやり方で実施することができる。従って、本明細書に記載した好ましい実施例は例示的なものであり、限定的なものではない。
【図面の簡単な説明】
【００２５】
【図１】本発明の実施例１のゴルフクラブヘッドのフェース板の結合構造を示す分解斜視図である。
【図２】本発明の実施例１のゴルフクラブヘッドのフェース板の結合構造を示す分解断面図である。
【図２Ａ】図２の局部の拡大図である。
【図３】本発明の実施例１のゴルフクラブヘッドのフェース板の結合構造による組み立てられた状態を示す断面図である。
【図３Ａ】図３の局部の拡大図である。
【図４】本発明の実施例２のゴルフクラブヘッドのフェース板の結合構造を示す分解斜視図である。
【図５】本発明の実施例２のゴルフクラブヘッドのフェース板の結合構造を示す分解断面図である。
【図５Ａ】図５の局部の拡大図である。
【図６】本発明の実施例２のゴルフクラブヘッドのフェース板の結合構造による組み立てられた状態を示す断面図である。
【図６Ａ】図６の局部の拡大図である。
【図７】本発明の実施例３のゴルフクラブヘッドのフェース板の結合構造を示す分解断面図である。
【図８】本発明の実施例３のゴルフクラブヘッドのフェース板の結合構造による組み立てられた状態を示す断面図である。
【図８Ａ】図８の局部の拡大図である。
【符号の説明】
【００２６】
１    ヘッド本体                      １１    ホーゼル
１２    溝座                            １３    周壁部
１４    第一係合突出部                １４１    傾斜面
１５    第一肩部                          ２    フェース板
２１    環状壁                          ２２    凹欠部
２３    第二係合突出部                ２３１    傾斜面
２４    第二肩部                          ３    結合層
【図１】
2006158640.tif 000003
【図２】
2006158640.tif 000004
【図２Ａ】
2006158640.tif 000005
【図３】
2006158640.tif 000006
【図３Ａ】
2006158640.tif 000007
【図４】
2006158640.tif 000008
【図５】
2006158640.tif 000009
【図５Ａ】
2006158640.tif 000010
【図６】
2006158640.tif 000011
【図６Ａ】
2006158640.tif 000012
【図７】
2006158640.tif 000013
【図８】
2006158640.tif 000014
【図８Ａ】
2006158640.tif 000015